(57)【要約】【課題】少なくとも１つのインバータ点灯装置が搭載された照明用器具において、ランプ線から電源線へのノイズ侵入を器具本体内においても防止でき、より一層のノイズ低減効果を得ることができる照明用器具を提供すること。【解決手段】常用点灯させるインバータ点灯装置１４のほかに、少なくとも１つの点灯装置１５或いは制御装置が搭載されている照明用器具において、インバータ点灯装置１４，点灯装置１５或いは制御装置の配線は、電源線Ａとランプ線Ｂとを器具本体１０内で互いに離間するように反対側に配置する。これにより、電源線の雑音レベルを改善できる。【選択図】    図１
2004303623.tif 000002
【特許請求の範囲】
【請求項１】
常用点灯させるインバータ点灯装置のほかに、少なくとも１つの点灯装置或いは制御装置が搭載されている照明用器具において、
前記インバータ点灯装置，点灯装置或いは制御装置の配線は、電源線とランプ線とを器具本体内で互いに離間するように反対側に配置したことを特徴とする照明用器具。
【請求項２】
交流電源端子台と少なくとも１つの常用インバータ点灯装置と非常用点灯装置と点検スイッチとを具備した照明用器具において、
前記常用インバータ点灯装置と非常用点灯装置と点検スイッチの配線は、電源線とランプ線とを器具本体内で互いに離間するように反対側に配置し、かつ前記交流電源端子台から前記常用インバータ点灯装置，非常用点灯装置及び点検スイッチに至る電源線の配線長が短くなるように、前記点検スイッチを前記交流電源端子台の近辺に配置したことを特徴とする照明用器具。
【請求項３】
前記電源線とランプ線の配線は、器具本体を構成する本体内の長手方向に沿って電源線とランプ線が走行している場合、電源線とランプ線間の配線間隔が最大間隔となるように、電源線とランプ線をそれぞれ対面する本体内壁に沿って配置することを特徴とする請求項１又は２に記載の照明用器具。
【発明の詳細な説明】
【０００１】
【発明の属する技術分野】
本発明は、インバータを用いて高周波点灯する照明用器具に関する。
【０００２】
【従来の技術】
従来、蛍光灯などの放電ランプを用いた照明用器具には、高周波インバータが用いられており、放電ランプを高周波点灯することで、ちらつきのない高品質の照明効果を得ると共に、点灯周波数の制御による調光制御などを可能としている。
【０００３】
一方、常用インバータ点灯装置のほかに非常用点灯装置を有する照明用器具では、非常用点灯電源としてバッテリを使用し、交流電源電圧として使用する１００Ｖや２００Ｖのどちらか一方の単電圧専用での充電を可能とする充電回路が使用されていた。通常、このような照明用器具では、放電ランブを点灯していないときでも、非常用点灯装置では、交流電源が来ていれば、交流電源電圧を直流化してバッテリを充電しておき、停電時などの交流電源遮断時にはバッテリに切り替え、バッテリからの直流電圧をインバータで交流化して放電ランプを点灯させている。
【０００４】
ところが、常用インバータ点灯装置には、高周波インバータを使用しており、スイッチングによる雑音（ノイズ）がどうしても発生する。従って、高周波インバータを用いる常用点灯装置を搭載した照明用器具においては、少なくとも常用時の放電ランプの点灯時にはランプに接続するランプ線からのスイッチングノイズが発生することになる。
【０００５】
さらに、非常用点灯装置の充電回路において、スイッチング式の安定化電源を用いるような回路を用いると、非常用点灯装置からもスイッチングによる雑音が発生することとなる。すなわち、ランプにつながるランプ線にはスイッチングによる高周波成分があるためノイズ源となり、入力線である電源線に重畳して他の機器に影響を与える。電源線に乗っている雑音量が多いとき、その照明用器具の雑音レベルが高いという。
【０００６】
また一方、従来の照明用器具では、外部からの入力交流電源ラインを接続する交流電源端子台が器具の中央に、非常点灯の点検スイッチ（非常用点灯回路が正常に動作し得るか否かの点検を行うために電源供給を遮断するためのスイッチ）が器具の端部に配置されており、交流電源端子台から点検スイッチに至る電源線の配線長や、点検スイッチから常用点灯回路及び非常用点灯回路に至る電源線の配線長が長くなる傾向にあった。電源線の配線長が長くなると、出力線であるランプ線からの高周波成分が電源線へノイズとなって侵入し易い。
【０００７】
従来のインバータ点灯装置を用いた照明装置は、例えば特許文献１に記載されているように、電源線へのノイズ漏洩を低減すべき場合には、インバータ点灯装置のランプ線は器具本体ケースの外部に引き出される際には電源線と反対側に配置することが行われている。
【０００８】
一方、点検スイッチに関しては、例えば特許文献２にその動作が詳しく説明されている。
【０００９】
【特許文献１】
特開２００３−７１２２号公報（第１頁、実施の形態９、図１２）
【００１０】
【特許文献２】
特開２０００−１０６０１２号公報（第２，４頁、図１，３，４）
【００１１】
【発明が解決しようとする課題】
しかしながら、特許文献１に開示されているノイズ低減は、その実施の形態９（段落［００１７］及び図１２）に示されているように、インバータ点灯装置Ａ，Ｂと制御装置Ｃを筒状収納ケースに入れ、側板によりケースの両端開口を密閉し、点灯装置Ａ，Ｂのランプ線を筒状収納ケースの片側の側板よりケース外部に引き出すように配置し、反対側の他方の側板より電源線と制御信号線をケース外部に引き出すように配置するものである。すなわち、インバータ点灯装置のランプ線と、電源線とは、筒状収納ケースの外部に引き出す配置を互いに反対側としており、筒状収納ケース内部での電源線とランプ線の配置については何も考慮されていない。このため、実際にノイズ発生源となる器具ケース内において、インバータ点灯装置のランプ線から電源線に対してノイズが侵入してしまうという問題がある。
【００１２】
また、特許文献２には、上記の交流電源端子台から点検スイッチに至る電源線の配線長や、点検スイッチから常用点灯回路及び非常用点灯回路に至る電源線の配線長については何も考慮されていない。
【００１３】
そこで、本発明は、上記の問題に鑑み、少なくとも１つのインバータ点灯装置が搭載された照明用器具において、ランプ線から電源線へのノイズ侵入を器具内においても防止でき、より一層のノイズ低減効果を得ることができる照明用器具を提供することを目的とするものである。
【００１４】
【課題を解決するための手段】
請求項１の発明の照明用器具は、常用点灯させるインバータ点灯装置のほかに、少なくとも１つの点灯装置或いは制御装置が搭載されている照明用器具において、前記インバータ点灯装置，点灯装置或いは制御装置の配線は、電源線とランプ線とを器具本体内で互いに離間するように反対側に配置したことを特徴とするものである。
【００１５】
上記の構成で、インバータ点灯装置は、数十ｋＨｚのスイッチング周波数で放電ランプを高周波点灯するものである。電源線は交流電源端子台を介して器具内に引き回される電源入力線である。ランプ線はインバータ点灯装置から放電ランプに出力される高周波信号の通過線であり、スイッチングによるノイズ源となる。器具本体内で互いに離間するように反対側に配置するとは、例えば、器具本体を構成する本体の内部の長手方向の中央に沿ってインバータ点灯装置や他の点灯装置或いは制御装置などを配設したとすると、これの点灯装置や制御装置を挟むように互いに対向する反対側の位置に配置する意である。少なくとも１つの点灯装置とは、非常用点灯装置などを含む他の点灯装置を指し、また制御装置とは、器具外部の例えば人体検知センサなどの検知信号を入力し前記のインバータ点灯装置及び他の点灯装置を調光制御するための制御装置を指している。
【００１６】
請求項１の発明によれば、常用点灯させるインバータ点灯装置のほかに、少なくとも１つの点灯装置或いは制御装置を搭載した照明用器具の本体内においては、配線がが入り組んだ構成となるが、器具本体内に電源線とランプ線をそれぞれ束ねるなどして区分けして離間配置すれば、器具本体内でランプ線から電源線へノイズが漏洩するのを極力低減することが可能となる。
【００１７】
請求項２の発明の照明用器具は、交流電源端子台と少なくとも１つの常用インバータ点灯装置と非常用点灯装置と点検スイッチとを具備した照明用器具において、前記常用インバータ点灯装置と非常用点灯装置と点検スイッチの配線は、電源線とランプ線とを器具本体内で互いに離間するように反対側に配置し、かつ前記交流電源端子台から前記常用インバータ点灯装置，非常用点灯装置及び点検スイッチに至る電源線の配線長が短くなるように、前記点検スイッチを前記交流電源端子台の近辺に配置したことを特徴とするものである。
【００１８】
請求項２の発明によれば、交流電源端子台と少なくとも１つの常用インバータ点灯装置と非常用点灯装置と点検スイッチを具備した照明用器具の本体内においては、電源配線が入り組んだ構成となるが、器具本体内に電源線とランプ線をそれぞれ束ねるなどして区分けして離間配置すれば、器具本体内でランプ線から電源線へノイズが漏洩するのを極力低減することが可能となり、かつ電源線の配線長が短くなるため、高周波が乗っているランプ線からのノイズの侵入を受けにくくし、雑音レベルを改善できる。
【００１９】
請求項３の発明の照明用器具は、請求項１又は２の照明用器具において、前記電源線とランプ線の配線は、器具本体を構成する本体内の長手方向に沿って電源線とランプ線が走行している場合、電源線とランプ線間の配線間隔が最大間隔となるように、電源線とランプ線をそれぞれ対面する本体内壁に沿って配置することを特徴とする。
【００２０】
請求項３の発明によれば、通常使用される器具本体の本体内部において、ランプ線から電源線へ与えられる雑音レベルを最少限にすることが可能となる。
【００２１】
【発明の実施の形態】
発明の実施の形態について図面を参照して説明する。
図１は本発明の一実施の形態の照明用器具の概略構成を示す平面図である。
【００２２】
図１において、照明用器具の器具本体１０はその長手方向の左右両端に放電ランプ（図示せず）の電極部が装着されるソケット１１，１２が突設されている。図示の器具本体１０はその上面が開口しているが、使用時には開口部分は図示しない蓋体で覆う構成となっている。器具本体１０は放電ランプ（図示せず）の長手方向に長い樋形状の本体で構成されており、器具本体１０内部の中央には図示しない商用交流電源ラインが外部から導入されて接続される交流電源端子台１３が配設され、その左右両側のスペースには高周波インバータを用いている常用点灯装置１４と、非常用点灯装置１５と、バッテリ１６−１と、バッテリ１６−２と、ＬＥＤ１７とが配設されている。そして、本実施の形態では、交流電源端子台１３の近辺に非常点灯の点検スイッチ１８が配設されている。なお、バッテリとして２つのバッテリ１６−１，１６−２が存在するのは、バッテリ１６−１だけでは必要な容量が得られないためである（なお、一方のバッテリ１６−１又は１６−２で必要な容量を得られる場合には一方のみでよい）。
【００２３】
これらの部品間の配線は、交流電源電圧が通過する入力線である電源線（図示Ａにて示す）と、常用点灯装置１４及び非常用点灯装置１５から高周波出力が通過する出力線であるランプ線（図示Ｂにて示す）と、その他の配線として、バッテリ充電中であることを表示するためのＬＥＤ３に接続する配線と、バッテリ１６−１，１６−２間を接続する配線とがある。
【００２４】
そして、インバータを有する常用点灯装置や非常用点灯装置を搭載した照明用器具の器具本体１０内において、器具本体１０内に電源線Ａとランプ線Ｂをそれぞれ束ねるなどして区分して離間するように配置する。これにより、器具本体１０内でランプ線Ｂからのノイズが電源線Ａへ漏洩するのを極力低減することが可能となる。
【００２５】
さらに、上記電源線Ａとランプ線Ｂの配線は、器具本体１０を構成する本体内の長手方向に沿って電源線Ａとランプ線Ｂが走行している場合、電源線Ａとランプ線Ｂ間の配線間隔が最大間隔となるように、電源線Ａとランプ線Ｂをそれぞれ対面する本体内壁に沿って配置することが望ましい。これにより、通常使用される器具本体１０のケース内部において、ランプ線Ｂから電源線Ａへ与えられる雑音レベルを最少限にすることが可能となる。
【００２６】
なお、図１の配設構造においては、交流電源端子台１３を器具本体１０のほぼ中央に配置し、その付近に点検スイッチ１８を配設した構成としているが、本発明の他の実施の形態としては、交流電源端子台１３及びその近辺に配置する点検スイッチ１８を、器具本体１０の一方のソケット例えばソケット１２の近くに配置する構成としても良い。要するに、交流電源端子台１３と点検スイッチ１８とは、電源線の配線長を短くするために互いに近くに配置することが望ましい。
【００２７】
上記の図１の構成によれば、器具本体１０内で電源線Ａとランプ線Ｂの配置位置を分離したので、これら入出力配線Ａ，Ｂが混在する場合に比べて配線間の浮遊容量が下がり雑音レベルが改善される。また、点検スイッチの位置を交流電源端子台の近辺に配置したので、電源線の配線長が短くなるため、高周波が乗っているランプ線からの影響を受けにくく雑音レベルを改善することができる。
【００２８】
図２は図１に対応する照明用器具の回路構成を示すブロック図である。
図２において、交流電源１−１，１−２は単相もしくは多相交流電源を構成している。交流電源１−１，１−２の共通ラインに点検スイッチ１８が介挿され、この点検スイッチ１８を開放にすることで電源供給を遮断して非常用点灯を点検できる。交流電源１−１のもう一方のラインは上記図１の常用点装置（高周波インバータで構成されている）に相当する常用点灯回路１４の一方の入力端に接続し、交流電源１−１，１−２の共通ラインは点検スイッチ１８を介して常用点灯装置の他方の入力端に接続する一方充電回路１５−１の一方の入力端に接続している。交流電源１−２の一方のラインは充電回路１５−１の他方の入力端に接続している。
【００２９】
切替えスイッチ１５−２，１５−４，１５−５は、それぞれ２つのスイッチを一組として構成されており、交流電源１−１（又は１−２）の両端間（実際には点検スイッチ１８を通した電源共通出力ライン上の点ともう一方の電源出力ライン上の点との間）に配置した停電検出リレー（図示せず）の停電検出動作に連動して各スイッチの共通端子ｃが接点端子ａ，ｂの一方に切り替わるようになっている。
【００３０】
充電回路１５−１の２つの出力ラインは切替えスイッチ１５−２を構成する２つのスイッチの各端子ａに接続し、そのもう一方の各端子ｂは非常用点灯回路１５−３の２つの入力端に接続し、各共通端子ｃは上記図１のバッテリ１６−１，１６−２に相当するバッテリ１６の両端に接続している。
【００３１】
常用点灯回路１４の一方の出力ライン対は切替えスイッチ１５−４の各端子ａに接続し、そのもう一方の各端子ｂは非常用点灯回路（放電回路とも呼ばれる）１５−３の一方の出力ライン対に接続し、各共通端子ｃは図示しないソケット（上記図１のソケット１１に相当する）を介して放電ランプ１９の一方のフィラメント１９−１の両端に接続している。
【００３２】
常用点灯回路１４のもう一方の出力ライン対は切替えスイッチ１５−５の各端子ａに接続し、そのもう一方の各端子ｂは非常用点灯回路１５−３のもう一方の出力ライン対に接続し、各共通端子ｃは図示しないソケット（上記図１のソケット１２に相当する）を介して放電ランプ１９のもう一方のフィラメント１９−２の両端に接続している。
【００３３】
充電回路１５−１と、切替えスイッチ１５−２と、高周波インバータから成る非常用点灯回路１５−３と、切替えスイッチ１５−４と、切替えスイッチ１５−５とは、上記図１の非常用点灯ユニット１５を構成している。
【００３４】
次に、図２の動作を説明する。
【００３５】
交流電源１−１，１−２から正常に電源電圧が供給されている時は、切替えスイッチ１５−２，１５−４，１５−５は図示実線の状態に接続されており、常用点灯回路１４を構成するインバータの出力で放電ランプ１９が高周波点灯する。このとき、バッテリ１６は、充電回路１５−１からの直流電圧に基づき充電される。充電中は図１に示したＬＥＤ１７が点灯する。
【００３６】
一方、停電などで交流電源１−１，１−２から電源電圧が供給されなくなった時は、交流電源１−１（又は１−２）の両端間に配置した停電検出リレー（図示せず）の停電検出動作に連動して切替えスイッチ１５−２，１５−４，１５−５は図示点線の状態に切り替えられ、予め充電されているバッテリ１６の充電電圧が非常用点灯回路１５−３に供給され、非常用点灯回路１５−３のインバータからの出力で放電ランプ１９が高周波点灯する。
【００３７】
図３は上記充電回路１５−１の構成のブロック図を示している。
図３に示す充電回路１５−１は、交流電源１−２からの電源電圧を整流・平滑する整流・平滑回路２１と、整流・平滑回路２１からの平滑電圧を入力し、安定化直流電圧としてバッテリ１６に出力する直流回路２２とで構成されている。
【００３８】
ところで、非常点灯用に用いる充電回路としては、入力交流電源電圧が１００Ｖのみとか２００Ｖのみとかの単発の交流電源電圧に基づいて充電を行う充電回路のほかに、入力交流電源電圧が１００〜２４２Ｖの範囲（ワイドレンジという）の複数の電源電圧（例えば、１００Ｖ，２００Ｖ，２４２Ｖの３つ）のどれに対しても使用可能で、どの使用電圧での充電をも可能とする汎用性の高い充電回路を使用することが考えられる。このようにワイドレンジのどの入力交流電源電圧（１００〜２４２Ｖ）であっても、バッテリを充電する際に必要な一定の直流電圧を得るためにはスイッチング式の安定化電源（スイッチレギュレータ）を使用することが考えられる。即ち、スイッチングレギュレータでは、１次側で整流・平滑して蓄えたエネルギーを、スイッチング回路を用いて交流化し、トランスを介して、２次側に送り込み、直流化して出力するが、その出力を前記スイッチング回路にフィードバックする。スイッチング回路では、フィードバック信号の大小に応じて１次側のスイッチング電流ピークやスイッチング周波数を調整することで、１次側から２次側へ送り込むエネルギーを常に一定に保つことができる。
【００３９】
一方、非常点灯用の標準的な規格として、入力交流電源電圧が通常の定格電圧の４０〜８５％の範囲に降下したときに、その範囲内の電源電圧に降下した際には非常点灯（即ちバッテリ点灯）に切り替えなければならないという規格が設けられている。そのため、入力交流電源電圧としてはワイドレンジ（例えば１００〜２４２Ｖ）に対応可能とする一方、電源電圧を監視して、例えば最も低い入力交流電源電圧（１００〜２４２Ｖの場合には１００Ｖ）の４０〜８５％の範囲に降圧したときスイッチングレギュレータのスイッチング動作を止めることで、バッテリへの充電を中止して非常点灯（バッテリ点灯）に切り替える照明用器具を構成することができる。非常点灯へ切り替える基準が、定格電圧の４０〜８５％の範囲内の電圧に降下したときであれば良い（０〜４０％では電源遮断に近い状態にあるので、非常点灯への切り替えは８５％以下としても良い）ので、１００Ｖの例えば５０〜６０％、即ち５０〜６０Ｖに電源電圧が降下したことを検出して非常点灯（バッテリ点灯）に切り替えるように構成しても良い。
【００４０】
図４は図３の具体的な構成を示す充電回路の回路図である。
図４では、図３に示した整流・平滑回路２１は全波整流ダイオードブリッジ２３と平滑コンデンサ２４で構成されている。また、図３に示した直流回路２２は、スイッチングレギュレータで構成されており、１次コイルと２次コイルから成るトランス２５と、その１次コイルに並列接続して平滑コンデンサ２４からの１次側平滑電圧を断続（オンオフ）制御するスイッチングトランジスタ２６と、２次コイルに直列に接続した整流ダイオード２７及び平滑コンデンサ２８から成る整流・平滑回路と、その２次側平滑電圧をバッテリ１６に加える際に充電電流を制御するための抵抗２９とで構成されている。
【００４１】
さらに、トランス２５の１次側と２次側間にコンデンサ３０を挿入している。このコンデンサ３０はバイパスコンデンサの役割をするもので、より詳しくはコンデンサ３０の一端は１次側の平滑コンデンサ２４の＋極、他端は２次側の平滑コンデンサ２８の−極に接続している。コンデンサ３０には例えばセラミックコンデンサが用いられる。この１次側と２次側間に挿入したコンデンサ３０により、１次側のスイッチング動作に基づいて発生する高周波成分が２次側に入るループが形成されるので、ノイズとなる高周波成分が交流電源１−２に漏洩するのを防止できる。交流電源の一方の電源ラインをコンデンサを介してアースへ落とす従来行われている構成では、コンデンサのアース端子側の基板と器具ケースを何らかの形で電気的にショートさせる（例えば、ネジにてケース，基板を固定する）こととなり製造上の負荷が大きくなるが、トランス２５の１次側と２次側間にコンデンサ３０を挿入する方法では、コンデンサの片側をアースへ落とす必要がないため、製造上の負荷が無くなるという利点がある。
【００４２】
図５は本発明に係る照明用器具などに使用される充電回路であって、スイッチング回路の保護機能及び充電用出力の安定化機能を備えた充電回路の構成例を示す回路図である。
【００４３】
図５における充電回路は、交流電源３１からの入力電源電圧Ｖｉｎが１００〜２４２Ｖの範囲に対応可能となっている製品である。交流電源３１の２つの出力ラインは全波整流ダイオードブリッジ３２のそれぞれの交流入力端子に接続し、全波整流ダイオードブリッジ３２の２つの全波整流出力端子はそれぞれ平滑コンデンサ３３の＋極，−極に接続している。平滑コンデンサ３３には平滑化された直流電圧が蓄えられ、平滑電圧を出力可能となっている。平滑コンデンサ３４の両端には電源監視回路３４が並列接続されている。電源監視回路３４は、交流電源電圧が１００〜２４２Ｖで変わる場合にも、その電源電圧が例えば５０〜６０Ｖ相当に低下したことを検出したとき、ＩＣ回路で構成されるスイッチング回路３６のスイッチング動作を停止させる機能を有するものである。
【００４４】
前記平滑コンデンサ３３の＋出力端はトランス３５の１次コイルとスイッチング回路３６の直列回路を介し平滑コンデンサ３３の−出力端に接続し、スイッチング回路３６によるスイッチング動作（オンオフ動作）により交流化され、トランス３５の２次コイルに出力される。２次コイル両端の交流出力は、整流ダイオード３８と、平滑コンデンサを含む充電用回路４０とを介して直流化されて、バッテリ４１に供給され、充電されるようになっている。スイッチング回路３６は、スイッチング素子と、このスイッチング素子を制御する制御部とを有している。
【００４５】
２次側の整流・平滑された電圧はフィードバック回路３９を介して１次側のスイッチング回路３６の制御部にフィードバックする構成となっいる。スイッチング回路３６の制御部ではフィードバックされた２次側平滑電圧が常に一定となるようにフィードバックされる２次側平滑電圧の変化に応じて１次コイル及びスイッチング回路を流れる三角波形のスイッチング電流のピークＩｐやスイッチング周波数ｆを制御する。
【００４６】
なお、一次コイルの両端にはスナバ回路３７が並列に接続されている。このスナバ回路３７は、スイッチング回路のスイッチオフ時に１次コイルのインダクタンスに蓄えられている電磁エネルギーを吸収する。
【００４７】
次に、図６を参照して図５の動作を説明する。
１次側から２次側へ移行されるエネルギーＰは、Ｐ＝（１／２）×Ｌ×Ｉｐ２×ｆである。ここで、Ｌはフライバック型トランスのインダクタンス値、Ｉｐはスイッチング電流ピーク値、ｆはスイッチング周波数である。単発の動作で考えた場合、Ｐ＝（１／２）×Ｌ×Ｉｐ２である。
【００４８】
また、フィードバック回路３９が動作する条件は、２次側にあるしきい値を越えた電圧が検出された場合である。例えばＶｉｎ＝１００Ｖの場合の動作と、Ｖｉｎ＝２００Ｖの場合の動作を比較した場合、スイッチング電流ピークＩｐは２００Ｖの場合の方が高く、単発の動作で考えるエネルギーは２００Ｖの場合の方が高い。ここで、単発の動作とは、１回の発振動作をことであり、図６（ａ），（ｂ）の区間▲１▼で比較した場合、Ｐ＝（１／２）×Ｌ×Ｉｐ２は（ｂ）の方が大きい。このため、Ｖｉｎ＝２００Ｖの場合の方がフィードバック回路３９が動作する区間が多くなる。
【００４９】
このことから、２次側の平滑電圧を一定に保つ場合には、１００Ｖ入力時に比べて２００Ｖ入力時は単発のエネルギーが高いため、スイッチング電流の波形である三角波に歯抜けを生じ、スイッチング電流の周波数が半減したスイッチング動作となる。
【００５０】
図６（ａ）に示すように、入力電源電圧Ｖｉｎ＝１００Ｖで、スイッチング周波数ｆ＝１３０ｋＨｚで動作しているときは、Ｖｉｎ＝２００Ｖ時のスイッチング電流ピークＩｐを１００％とすると、スイッチング電流ピークＩｐは４０〜７０％に抑えられることによって２次側出力を一定に保つことになる。
【００５１】
また、図６（ｂ）に示すように、入力電源電圧Ｖｉｎ＝２００Ｖで、スイッチング電流ピークＩｐ＝１００％で動作しているきは、Ｖｉｎ＝１００Ｖ時のスイッチング周波数ｆ＝１３０ｋＨｚが通常の動作周波数とすると、スイッチング周波数ｆは６５ｋＨｚと１／２にされることによって２次側出力を一定に保つことになる。
【００５２】
ここで、ノイズ源としてのスイッチング動作について考えると、スイッチング電流として三角波が流れるが、そのスイッチング電流ピークＩｐが高い方が雑音レベルも高くなる。また、スイッチング周波数ｆが高いと、雑音が生まれる回数が多くなるので、雑音レベルも高くなる。スイッチング時の周波数ｆが高くて電流ピークも高ければ、最も雑音レベルが高くなる。従って、雑音レベルを下げるには、（１）電流ピークが高いときは三角波の歯抜けを多くして周波数を下げる、（２）周波数が高いときは電流ピークを低くする、という方法が考えられる。
【００５３】
図６（ａ），（ｂ）に示したように、スイッチングレギュレータのスイッチング電流は動作周波数が高い時にはスイッチング電流ピークが低く、動作周波数が低い時にはスイッチング電流ピークが高くなるように動作させる（制御する）ことにより、雑音レベルをスイッチングの動作に関係なくほぼ一定値とでき、これを雑音軽減対策として用いることができる。
【００５４】
なお、本発明は、照明用器具の器具本体１０内に、常用インバータ点灯装置、のほかに、非常用点灯装置などの他の点灯装置や、図示しないが器具外部の人体検知センサなどの検知信号を入力し前記のインバータ点灯装置及び他の点灯装置を調光制御する制御装置を有している場合に対しても適用できるものである。
【００５５】
以上述べたように本発明の実施の形態によれば、常用点灯させるインバータ点灯装置のほかに、少なくとも１つの点灯装置或いは制御装置が搭載されている照明用器具において、ランプ線から電源線へのノイズ侵入を器具内部において防止でき、より一層のノイズ低減効果を得ることが可能となる。
【００５６】
また、非常用点灯装置にスイッチング方式を用いたことでノイズが発生し易くなっているにも関わらず、本実施の形態の配線構成は大変有効である。
【００５７】
さらに、常用点灯装置からもノイズが発生し得るが、何も手段を講じないと常用点灯装置、非常用点灯装置からのノイズの影響があるものであるが、本発明の配線構成であることで常用・非常用点灯装置からノイズが発生したとしても、商用電源側へノイズが漏れることがない。
【００５８】
【発明の効果】
請求項１の発明によれば、常用点灯させるインバータ点灯装置のほかに、少なくとも１つの点灯装置或いは制御装置を搭載した照明用器具の本体内においては、配線がが入り組んだ構成となるが、器具本体内に電源線とランプ線をそれぞれ束ねるなどして区分けして離間配置すれば、器具本体内でランプ線から電源線へノイズが漏洩するのを極力低減することが可能となり、雑音レベルを改善できる。
【００５９】
請求項２の発明によれば、交流電源端子台と少なくとも１つの常用インバータ点灯装置と非常用点灯装置と点検スイッチを具備した照明用器具の本体内においては、電源配線が入り組んだ構成となるが、器具本体内に電源線とランプ線をそれぞれ束ねるなどして区分けして離間配置すれば、器具本体内でランプ線から電源線へノイズが漏洩するのを極力低減することが可能となり、かつ電源線の配線長が短くなるため、高周波が乗っているランプ線からのノイズの侵入を受けにくくし、雑音レベルを改善できる。
【００６０】
請求項３の発明によれば、通常使用される器具本体の本体内部において、ランプ線から電源線へ与えられる雑音レベルを最少限にすることが可能となり、雑音レベルを効果的に改善できる。
【図面の簡単な説明】
【図１】本発明の一実施の形態の照明用器具の概略構成を示す平面図。
【図２】図１に対応する照明用器具の回路構成を示すブロック図。
【図３】図２の充電回路の構成を示すブロック図。
【図４】図３の具体的な構成を示す充電回路の回路図。
【図５】本発明に係る照明用器具などに使用される充電回路であって、スイッチング回路の保護機能及び充電用出力の安定化機能を備えた充電回路の構成例を示す回路図。
【図６】図５の動作を説明する波形図。
【符号の説明】
１０…器具本体
１４…常用点灯ユニット（常用点灯回路）
１５…非常用点灯ユニット
１５−１…充電回路
１５−３…非常用点灯回路
１６，１６−１，１６−２…バッテリ
３６…スイッチング回路
３９…フィードバック回路
【図１】
2004303623.tif 000003
【図２】
2004303623.tif 000004
【図３】
2004303623.tif 000005
【図４】
2004303623.tif 000006
【図５】
2004303623.tif 000007
【図６】
2004303623.tif 000008